(57)【特許請求の範囲】
【請求項１】
法面等の地盤に掘削された円柱状の掘削孔の中心位置にロックボルトを保持するためのロックボルト用スペーサであって、
長尺な円柱状の鋼線を屈曲させることによって形成されており、
鋼線の中間が、一部を前後に重ね合わせた円形に屈曲しているとともに、鋼線の両端が、前記円形屈曲部分の中心から、前記円形屈曲部分と同一面内において放射方向へ鋭角の二股状に突出しており、
その二股状の突出部分に開く方向の力が作用した場合に、その力が前記円形屈曲部分の径を狭めようとする力として作用するものであることを特徴とするロックボルト用スペーサ。
【請求項２】
前記二股状突出部分のなす角度が６５°〜７５°であることを特徴とする請求項１に記載のロックボルト用スペーサ。
【請求項３】
前記円形屈曲部分の内径が１８ｍｍ〜２８ｍｍであり、かつ、前記二股状突出部分の長さが２２ｍｍ〜４０ｍｍであることを特徴とする請求項１または請求項２に記載のロックボルト用スペーサ。
【発明の詳細な説明】
【技術分野】
【０００１】
本発明は、法面等の地盤にロックボルトを設置するに際し、ロックボルトを地盤に掘削された掘削孔の中心に保持しておくためのロックボルト用スペーサ関するものである。
【背景技術】
【０００２】
土木分野では、法面等の地盤を円柱状に掘削し、その掘削孔に、長尺状のロックボルト（アンカー）を挿入してから、ロックボルトグラウト材（無収縮モルタル材）を注入し、当該グラウト材を硬化させることによってロックボルトを地盤中に定着させ、そのロックボルトを利用して山留壁や法枠を形成するロックボルト工法（アースアンカー工法）が知られている。かかるロックボルト工法においては、ロックボルトを掘削孔の中心に位置させて、ロックボルトの周囲のグラウト材の厚み（所謂、かぶり厚）を一定にする必要がある。
【０００３】
そして、ロックボルトを掘削孔の中心に位置させるための部材として、特許文献１の如きロックボルト用スペーサが使用される。当該特許文献１のロックボルト用スペーサは、ロックボルトを把持するための定着筒部と、その定着筒部の軸心から上下左右に突出した複数の弾力腕とを備えており、定着筒部をロックボルトの外側でかしめてロックボルトに固着させ、一体となったロックボルトを掘削孔に挿入して、各弾力腕の先端際を掘削孔の内壁に押し当てることによって、ロックボルトを掘削孔の中心に位置させることができるようになっている。
【先行技術文献】
【特許文献】
【０００４】
【特許文献１】特開平４−１８９９１７号公報
【発明の概要】
【発明が解決しようとする課題】
【０００５】
しかしながら、特許文献１に係るロックボルト用スペーサは、ロックボルトに固着させる際に、定着筒部を外側からかしめる（圧着させる）必要があるため、ロックボルトへの固着作業に多大な手間を要する、という不具合がある。また、定着筒部のロックボルトへの固着が不十分であると、ロックボルトを掘削孔に挿入する際に、長手方向にずれ易い、という問題点もある。加えて、定着筒部のスリットが下側に位置するようにロックボルトを掘削孔に挿入すると、ロックボルトの荷重によって、下側に位置した弾力腕が外側に拡がってしまうため、ロックボルトを掘削孔の中心に正確に位置決めすることができなくなってしまう。
【０００６】
本発明の目的は、簡単な構造であるにもかかわらず、手間を掛けることなくロックボルトに確実に装着する（固着させる）ことができる上、掘削孔へのロックボルトの挿入時に、不測の力が作用した場合でも、ロックボルトの所定位置からずれたりせず、ロックボルトを掘削孔の中心に正確に位置決めすることが可能なロックボルト用スペーサを提供することにある。
【課題を解決するための手段】
【０００７】
上記課題を解決するために、請求項１に記載された発明は、法面等の地盤に掘削された円柱状の掘削孔の中心位置にロックボルトを保持するためのロックボルト用スペーサであって、長尺な円柱状の鋼線を屈曲させることによって形成されており、鋼線の中間が、一部を前後に重ね合わせた円形に屈曲しているとともに、鋼線の両端が、前記円形屈曲部分の中心から、前記円形屈曲部分と同一面内において放射方向へ鋭角の二股状に突出しており、その二股状の突出部分に開く方向の力が作用した場合に、その力が前記円形屈曲部分の径を狭めようとする力として作用するものであることを特徴とする。
【０００８】
請求項２に記載された発明は、請求項１に記載された発明において、前記二股状突出部分のなす角度が６５°〜７５°であることを特徴とするものである。
【０００９】
請求項３に記載された発明は、請求項１または請求項２に記載された発明において、前記円形屈曲部分の内径が１８ｍｍ〜２８ｍｍであり、かつ、前記二股状突出部分の長さが２２ｍｍ〜４０ｍｍであることを特徴とするものである。
【発明の効果】
【００１０】
請求項１に記載のロックボルト用スペーサは、長尺な円柱状の鋼線を屈曲させることによって形成されており、鋼線の中間が、一部を前後に重ね合わせた円形に屈曲しているとともに、鋼線の両端が、その円形屈曲部分の中心から放射方向へ鋭角の二股状に突出した構造を有しており、円形屈曲部分が、ロックボルトを把持する機能を奏し得るとともに（ロックボルト保持部）、二股状突出部分が、ロックボルトを掘削孔の中心に位置決めしてグラウド材を注入するためのスペースを確保する機能を奏し得る。
【００１１】
したがって、請求項１に記載のロックボルト用スペーサは、二股状突出部分に内向きの力を加えて、円形屈曲部分の径を拡げた状態で、その円形屈曲部分にロックボルトを挿通させるだけで、きわめて容易にロックボルトに装着することができる。また、ロックボルトには異形鋼が用いられることが多いが、請求項１に記載のロックボルト用スペーサは、円形屈曲部分が、異形鋼の周状溝に嵌まり込むので、ロックボルトを掘削孔に挿入する際に、不測の力が作用した場合でも、ロックボルトの長手方向に沿って位置ずれしたりしない。
【００１２】
さらに、ロックボルトを二股状突出部分が下側になるように掘削孔に挿入すれば、挿入後にロックボルトの荷重が加わり、二股状突出部分を開く方向の力が作用した場合でも、その力が円形屈曲部分の径を狭める力として作用してロックボルトがその力を吸収するため、二股状突出部分の間隔が拡がらないので、ロックボルトを掘削孔の中心に確実に保持することができる。
【００１３】
請求項２に記載のロックボルト用スペーサは、二股状突出部分のなす角度が６５°〜７５°であるため、その二股状突出部分を片手の掌で把持して、鋼線の両端を近づけるように握り締めることによって、円形屈曲部分の径を拡げて当該円形屈曲部分にロックボルトを挿通させることができる。したがって、請求項２に記載のロックボルト用スペーサによれば、片手できわめて容易に、ロックボルトに装着することが可能となる。
【００１４】
請求項３に記載のロックボルト用スペーサは、円形屈曲部分の内径、および、二股状突出部分の長さが特定の範囲内に調整されているため、ロックボルトに装着する際に、二股状突出部分を強い力で握り締めなくても、円形屈曲部分を拡げてロックボルトを挿通させることができるとともに、不測の力が加わった場合でも、二股状突出部分の鋼線が屈曲して破損したりしない。
【図面の簡単な説明】
【００１５】
【図１】ロックボルト用スペーサを示す説明図である（ａは正面図であり、ｂは斜視図である）。
【図２】ロックボルト用スペーサを装着したロックボルトを掘削孔に挿入した状態を示す説明図である（ａは、ロックボルトを挿入した掘削孔を側方から見た状態を示す説明図であり、ｂは、ロックボルト用スペーサのロックボルトへの装着部分を示す説明図（斜視図）であり、ｃは、ロックボルトを挿入した掘削孔を正面から見た状態を示す説明図である）。
【発明を実施するための形態】
【００１６】
＜ロックボルト用スペーサの構造＞
以下、本発明に係るロックボルト用スペーサの一実施形態について、図面に基づいて詳細に説明する。図１は、本発明に係るロックボルト用スペーサ（クリップ）を示したものであり、ロックボルト用スペーサ１は、直径約２ｍｍの円柱状の鋼線（焼き入れ等の熱処理を施したもの）を屈曲させることによって形成されており、表面には、防錆処理（亜鉛メッキ処理）が施されている。
【００１７】
ロックボルト用スペーサ１を構成している鋼線の中間部分は、ロックボルトを保持するための部分（ロックボルト保持部３）として機能するものであり、直径（内径）約１８ｍｍの円形に屈曲し、下側の一部が前後に重なり合った状態になっている（重複部分４）。また、その重複部分４の中心角（ロックボルト保持部３の中心を中心とした中心角）は、約７０°になっている。
【００１８】
また、ロックボルト用スペーサ１を構成している鋼線の両端は、装着されたロックボルトを掘削孔に挿入した場合に、ロックボルトを掘削孔の中心に位置決めしてグラウド材を注入するためのスペースを確保する部分として機能するものであり、それぞれ、ロックボルト保持部３の中心から放射方向へ突出するように屈曲し、鋭角の二股を形成した状態になっている（二股状突出部分２）。 そして、その二股状突出部分２は、それぞれの鋼線の長さが約４０ｍｍになっており、約７０°の角度を成した状態になっている。
【００１９】
＜ロックボルト用スペーサの使用方法＞
上記の如く構成されたロックボルト用スペーサ１は、ロックボルトに装着されて、斜面（法面）等のロックボルト工法（アースアンカー工法）に用いられる。かかるロックボルト工法とは、斜面（法面）等に掘削機を利用して円柱状の孔を掘削し、その掘削孔の内部に長尺な円柱状のロックボルト（異形鋼等）を挿入し、しかる後、掘削孔の内部にグラウド材を充填することによって、ロックボルトごとグラウド材を固化させる工法のことである。
【００２０】
ロックボルト用スペーサ１をロックボルトに装着する際には、二股状突出部分２を片手の掌で把持して、鋼線の両端を近づけるように握り締めることによって、ロックボルト保持部３の径を拡げて、その中にロックボルトを挿通させる。ロックボルトは、通常、異形鋼によって構成されるため、上記の如く装着されたロックボルト用スペーサ１においては、ロックボルト保持部３が、ロックボルトの表面の周状溝に嵌まり込んだ状態となる。
【００２１】
なお、ロックボルト用スペーサ１を異形鋼のロックボルトに装着する場合には、ロックボルト用スペーサ１のロックボルト保持部３の直径（内径）を、ロックボルトの直径よりも１〜２ｍｍほど小さくするのが好ましい。したがって、上記したロックボルト保持部３の直径（内径）が２２ｍｍのロックボルト用スペーサ１は、直径約１９ｍｍの異形鋼であるロックボルトに好適に用いることができる。
【００２２】
また、ロックボルト用スペーサ１は、１本のロックボルトに対して２個取り付けるのが好ましく、３個以上取り付けることも可能である。そして、２個のロックボルト用スペーサ１，１をロックボルトに取り付ける場合には、ロックボルトを掘削孔に挿入した際に、掘削孔の最深部から５〜１０ｃｍの部分、および、掘削孔の開口部から５〜１０ｃｍだけ内部に入った部分に位置するように、各ロックボルト用スペーサ１，１を取り付ける。また、それらのロックボルト用スペーサ１，１を、ロックボルトに対して同じ向きに（ロックボルトの軸中心に対して同位相となるように）取り付ける。一方、３個のロックボルト用スペーサ１，１，１をロックボルトに取り付ける場合には、上記の如くロックボルトの両端際に取り付けられるロックボルト用スペーサ１，１の間に位置するように、もう一つのロックボルト用スペーサ１を、ロックボルトに対して同じ向きに（ロックボルトの軸中心に対して同位相となるように）取り付ける。
【００２３】
そして、上記の如くロックボルト用スペーサ１，１が装着されたロックボルトを、地盤を掘削してなる掘削孔に挿入する。図２は、ロックボルト用スペーサ１，１が装着されたロックボルトを、傾斜した斜面を掘削してなる掘削孔（直径約６５ｍｍ）に挿入した状態を示したものである。ロックボルトの長さは、現場の状況や、ロックボルトを利用して建造する建造物の種類等に応じて、１，０００〜５，０００ｍｍの長さに調整される。また、図２の如く、掘削孔は、挿入したロックボルトの基端が１００ｍｍ±５０ｍｍ程度地表から突出するように掘削する。
【００２４】
ロックボルト用スペーサ１，１が装着されたロックボルトＲを掘削孔Ｈに挿入する場合には、各ロックボルト用スペーサ１，１の二股状突出部分２が下側になるように挿入する。そのようにロックボルトＲを掘削孔Ｈに挿入した場合には、挿入後にロックボルトＲの荷重が加わり、各ロックボルト用スペーサ１，１の二股状突出部分２に開く方向の力が作用した場合でも、その力がロックボルト保持部３の径を狭めようとする力として働き、ロックボルトＲがその力を吸収するため、各ロックボルト用スペーサ１，１の二股状突出部分２の間隔が拡がらず、ロックボルトＲは、掘削孔Ｈの中心に保持される（図２（ｃ）参照）。
【００２５】
そして、上記の如くロックボルトＲを挿入孔Ｈに挿入した後には、ロックボルトＲが掘削孔Ｈの中心に位置しているか、専用の測定治具（図示しない）を用いて確認する。たとえば、直径約９０ｍｍの掘削孔ＨにロックボルトＲを設置する場合には、ロックボルトＲをの中心から掘削孔Ｈの周壁までの長さが約４５ｍｍになっているかどうかを測定する。そして、ロックボルトＲが掘削孔Ｈの中心に位置していると確認した後に、掘削孔Ｈの内部にグラウド材（セメントおよび水）を充填し、十分に時間をかけて養生させ、ロックボルトＲ（およびロックボルト用スペーサ１，１）ごとグラウド材を固化させることによってロックボルト工事を完了する。
【００２６】
＜ロックボルト用スペーサの効果＞
ロックボルト用スペーサ１は、上記の如く、長尺な円柱状の鋼線を屈曲させることによって形成されており、鋼線の中間が、一部を前後に重ね合わせた円形に屈曲しているとともに（ロックボルト保持部３）、鋼線の両端が、円形屈曲部分の中心から放射方向へ鋭角の二股状に突出した構造を有しており、ロックボルト保持部３が、ロックボルトＲを把持する機能を奏し得るとともに、二股状突出部分２が、ロックボルトＲを掘削孔Ｈの中心に位置決めしてグラウド材を注入するためのスペースを確保する機能を奏し得る。
【００２７】
したがって、ロックボルト用スペーサ１は、二股状突出部分２に内向きの力を加えて、ロックボルト保持部３の径を拡げた状態で、そのロックボルト保持部３の内部にロックボルトＲを挿通させるだけで、きわめて容易にロックボルトＲに装着することができる。また、ロックボルト用スペーサ１は、ロックボルト保持部３が、異形鋼の周状溝に嵌まり込むので、ロックボルトＲを掘削孔Ｈに挿入する際に、不測の力が作用した場合でも、ロックボルトＲの長手方向に沿って位置ずれしたりしない。さらに、ロックボルトＲを二股状突出部分２が下側になるように掘削孔Ｈに挿入すれば、挿入後にロックボルトＲの荷重が加わって、二股状突出部分２を開く方向の力が作用した場合でも、その力がロックボルト保持部３の径を狭める力として働き、ロックボルトＲがその力を吸収するため、二股状突出部分２の間隔が拡がらないので、ロックボルトＲを掘削孔Ｈの中心に確実に保持することができる。
【００２８】
また、ロックボルト用スペーサ１は、二股状突出部分２のなす角度が７０°であり、その二股状突出部分２を片手の掌で把持して鋼線の両端を近づけるように握り締めることによって、ロックボルト保持部３の径を拡げて当該ロックボルト保持部３にロックボルトＲを挿通させることができるため、片手できわめて容易に、ロックボルトＲに装着することができる。
【００２９】
さらに、ロックボルト用スペーサ１は、ロックボルト保持部３の内径が１８ｍｍであり、かつ、二股状突出部分２の長さが４０ｍｍであるため、ロックボルトＲに装着する際に、二股状突出部分２を強い力で握り締めなくても、ロックボルト保持部３を拡げてロックボルトＲを挿通させることができるとともに、不測の力が加わった場合でも、二股状突出部分２の鋼線が屈曲して破損したりしない。
【００３０】
＜ロックボルト用スペーサの変更例＞
本発明に係るロックボルト用スペーサの構成は、上記実施形態の態様に何ら限定されるものではなく、二股状突出部分、ロックボルト保持部、重複部分等の形状、構造、素材等の構成を、本発明の趣旨を逸脱しない範囲で、必要に応じて適宜変更することができる。
【００３１】
たとえば、本発明に係るロックボルト用スペーサは、上記実施形態の如く、鋼線を屈曲させて形成したものに限定されず、角柱状の鋼材を屈曲させて形成したもの等に変更することも可能である。また、ロックボルト用スペーサは、上記実施形態の如く、二股状突出部分が単純な円柱状のものに限定されず、二股状突出部分の先端がＬ字状や円形状に折れ曲がっているもの等でも良い。加えて、二股状突出部分の先端に掘削孔の周壁との接地面積を大きくするためのキャップを取り付けたもの等に変更することも可能である。
【産業上の利用可能性】
【００３２】
本発明に係るロックボルト用スペーサは、上記の如く優れた効果を奏するものであるので、土木建築の分野における法面工事等の補助部材や治具として好適に用いることができる。
【符号の説明】
【００３３】
１・・ロックボルト用スペーサ
２・・二股状突出部分
３・・ロックボルト保持部
４・・重複部分
【図１】
0006609732.tif 000002
【図２】
0006609732.tif 000003